(57)【特許請求の範囲】
【請求項１】
サーバー、個人端末及び医療機関端末により通信ネットワークを介して患者と医療機関とのコミュニケーションを行う患者医療機関相互選択システムであって、
複数の個人ボックスを保有する前記サーバー内の個人ボックス記憶手段と、
前記個人ボックス記憶手段内に個人ボックスを作成する前記個人端末内の個人ボックス作成手段と、
前記個人ボックス内に、個人特定データであり氏名の代替データである個人コードナンバーを含む個人データを入力する前記個人端末内の個人データ入力手段と、
前記複数の個人ボックスとは別個の複数の分類ボックスを保有する、前記個人ボックス記憶手段とは別個の前記サーバー内の分類ボックス記憶手段と、
前記個人ボックス内の個人データを検索し、個人データ内の個人身体データ及び症状データに基づいて、前記複数の分類ボックスから該個人データに関係付けられる分類ボックスを選択し、該選択した分類ボックス内へ該個人データを自動的に転送する前記サーバー内の個人データ転送手段と、
前記分類ボックス記憶手段内の所定の分類ボックス内の個人データを検索できるが前記個人ボックス記憶手段内の個人ボックスを検索できない前記医療機関端末内の個人データ検索手段と、
前記所定の分類ボックス内の個人データにコメントデータを付加する前記医療機関端末内のデータ付加手段と、
前記個人データ転送手段によって個人データの転送が行なわれた前記各個人ボックス内へ、前記コメントデータを付加した該個人データを、自動的に返送する前記サーバー内の個人データ返却手段と、
前記各個人ボックス内のコメントデータを付加した個人データを検索する前記個人端末内のコメント検索手段と、
前記コメントデータが含む医療機関名から医療機関を選択する前記個人端末内の医療機関選択手段と、
前記個人端末及び前記選択した医療機関の医療機関端末を通信可能とする前記サーバー内の通信設定手段と、
を備え、
前記分類ボックスが科分類ボックスである患者医療機関相互選択システム。
【請求項２】
前記複数の科分類ボックスが複数の地域分類ボックスを保有する請求項１に記載する患者医療機関相互選択システム。
【請求項３】
サーバー、個人端末及び医療機関端末により通信ネットワークを介して患者と医療機関とのコミュニケーションを行う患者医療機関相互選択方法であって、
個人端末から前記サーバー内の個人ボックス記憶手段内に個人ボックスを作成するステップと、
個人端末から前記各個人ボックス内に、個人特定データであり氏名の代替データである個人コードナンバーを含む個人データを入力するステップと、
前記サーバー内の個人データ転送手段が、該複数の個人データを検索し、個人データ内の個人身体データ及び症状データに基づいて、前記個人ボックスとは別個の複数の分類ボックスから該個人データに関係付けられる分類ボックスを選択し、該選択した分類ボックス内へ該個人データを自動的に転送するステップと、
医療機関端末から所定の分類ボックス内の個人データを検索できるが前記個人ボックス記憶手段内の個人ボックスを検索できないステップと、
前記医療機関端末から前記所定の分類ボックス内の個人データにコメントデータを付加するステップと、
前記サーバー内の個人データ返却手段が、前記個人データ転送手段によって個人データの転送が行なわれた前記各個人ボックス内へ、前記コメントデータを付加した該個人データを、自動的に返送するステップと、
前記各個人ボックス内のコメントデータを付加した個人データを前記各個人端末から検索するステップと、
前記個人端末から、前記コメントデータが含む医療機関を選択するステップと、
前記個人端末と前記選択した医療機関の医療機関端末とが通信可能となるステップと、
を備え、
前記分類ボックスが科分類ボックスである患者医療機関相互選択方法。
【請求項４】
前記複数の科分類ボックスが複数の地域分類ボックスを備えた請求項３に記載する患者医療機関相互選択システム。
【発明の詳細な説明】
【０００１】
【発明の属する技術分野】
本発明は、ホームページ等のネットワーク上で患者と医療機関との相互選択を行う患者医療機関相互選択システム、患者医療機関相互選択方法、及び患者医療機関相互選択用プログラムに関する。
【０００２】
【従来の技術】
従来から、患者は受診する医療機関を自ら選択して、直接その医療機関を訪れていた。しかし、医療の知識を有しない患者が最適の医療機関を選択するのは困難であった。また、医療機関にとっても、常に専門分野又は得意分野の患者が来るとは限らない。また、患者は直接に医療機関を訪れるため、初診時には不安感があり、医療機関は突然訪れる特殊な疾病を持つ患者には、充分な対応ができない場合も多かった。電話や電子メールによる医療機関への問い合わせ、質問も行われてはいるが、医療機関からすれば、受診希望の意志も不明な上、不特定多数に答えなければならず、時間的効率が悪かった。患者としても、相談した相手が自分の疾病に最も適した医療機関かどうかの不安は常に付きまとう事になる。また、医療においては、非常に珍しい疾病の場合、その疾病に経験があるかどうかが、その病の診断及び治療を大きく左右する事が多いのであるが、その珍しい疾病を持つ患者と、その疾病に経験を持つ医師とを、お互いの意志の確認のもとに仲介する手段は無い。
【０００３】
【発明が解決しようとする課題】
そこで、患者が最適の医療機関を、迅速かつ容易に選択できるようにすることを目的とする。また、医療機関が専門分野又は得意分野の患者を選択し、診療を効率的に行えるようにすることを目的とする。また、初診時には、患者と医療機関との間でコミュニケーションが既に確立されていることを目的とする。また、特殊な疾病を持つ患者と、その疾病に経験を持つ医療機関又は医師との、互いの意志を確認のもと、医療を効率的に行うことを目的とする。
【０００４】
【課題を解決するための手段】
本発明の患者医療機関相互選択システムは、通信ネットワークを介して患者と医療機関とのコミュニケーションを行う患者医療機関相互選択システムであって、複数の個人ボックスを保有する個人ボックス記憶手段と、該個人ボックス記憶手段内に個人ボックスを作成する個人ボックス作成手段と、該個人ボックス内に個人データを入力する個人データ入力手段と、複数の分類ボックスを保有する分類ボックス記憶手段と、該複数の個人データを該個人データに関係付けられる分類ボックス内へ移動させる個人データ移動手段と、該分類ボックス記憶手段内の所定の分類ボックス内の個人データを検索する個人データ検索手段とを備えることを特徴とする。
【０００５】
本明細書において、通信ネットワークは、インターネット通信、フレームリレー（Ｆｒａｍｅ  Ｒｅｌａｙ）通信、イントラネット通信、エクストラネット通信、ローカルエリアネットワーク通信等のコンピューターを利用した信号データ通信のネットワークである。ボックスは、メモリ内に確保する領域であり、データを記憶する領域である。保有は、そのボックスをメモリ内に保存することである。保有、作成、送信、検索、選択、付加、転送、返送、又は設定は、自動的に又は指令によってコンピューターが行う処理である。入力は、キーボード、マウス、画面、ドライブ等を用いて人間がコンピューターへ入力する処理である。記憶手段等の各手段は、ＭＰＵに各手段として機能させるためのプログラムを記憶したメモリを含む。個人データは、患者の個人特定データ又は症状データ等のデータである。端末は、パーソナルコンピューター又は携帯端末等のコンピューター、又は携帯電話である。サーバーは、大型コンピューター又はパーソナルコンピューター等のコンピューターである。
【０００６】
また、本発明の患者医療機関相互選択システムは、前記患者医療機関相互選択システムにおいて、前記所定の分類ボックス内の個人データにコメントデータを付加するデータ付加手段を備えたことを特徴とする。
【０００７】
コメントデータは、医療機関名又は診察可能時間等の医療機関によって示されるデータである。
【０００８】
また、本発明の患者医療機関相互選択システムは、前記患者医療機関相互選択システムにおいて、前記コメントデータを付加した個人データを前記各個人ボックス内へ移動させる個人データ返却手段を備えたことを特徴とする。
【０００９】
各個人ボックスは、その個人データを転送したボックスである。
【００１０】
また、本発明の患者医療機関相互選択システムは、前記患者医療機関相互選択システムにおいて、前記各個人ボックス内のコメントデータを付加した個人データを検索するコメント検索手段を備えたことを特徴とする。
【００１１】
また、本発明の患者医療機関相互選択システムは、前記患者医療機関相互選択システムにおいて、前記コメントデータが医療機関名を含み、医療機関を選択する医療機関選択手段と、該個人端末及び該選択した医療機関の医療機関端末を通信可能とする通信設定手段とを備えたことを特徴とする。
【００１２】
また、本発明の患者医療機関相互選択システムは、前記患者医療機関相互選択システムにおいて、前記複数の分類ボックスが科分類ボックスであることを特徴とする。
【００１３】
また、本発明の患者医療機関相互選択システムは、前記患者医療機関相互選択システムにおいて、前記複数の科分類ボックスが複数の地域分類ボックスを保有することを特徴とする。
【００１４】
また、本発明の患者医療機関相互選択システムは、前記患者医療機関相互選択システムにおいて、前記個人データが含む個人特定データが個人コードナンバーであることを特徴とする。
【００１５】
また、本発明の患者医療機関相互選択システムは、前記患者医療機関相互選択システムにおいて、前記個人ボックス記憶手段及び前記分類ボックス記憶手段を、一のサーバーが備えることを特徴とする。
【００１６】
また、本発明の患者医療機関相互選択システムは、前記患者医療機関相互選択システムにおいて、前記個人データ検索手段及び前記データ付加手段を、複数の医療機関端末が備えることを特徴とする。
【００１７】
また、本発明の患者医療機関相互選択システムは、前記患者医療機関相互選択システムにおいて、前記個人ボックス作成手段、前記個人データ入力手段及び前記コメント検索手段を、複数の個人端末が備えることを特徴とする。
【００１８】
また、本発明の患者医療機関相互選択システムは、前記患者医療機関相互選択システムにおいて、前記個人ボックス記憶手段及び前記分類ボックス記憶手段を一のサーバーが備え、前記個人データ検索手段を複数の医療機関端末が備え、前記個人ボックス作成手段及び前記個人データ入力手段を複数の個人端末が備え、該一のサーバー、複数の医療機関端末及び複数の個人端末がインターネットを通じて通信可能に接続されたことを特徴とする。
【００１９】
本発明の患者医療機関相互選択方法は、インターネット上で患者と医療機関とのコミュニケーションを行う患者医療機関相互選択方法であって、個人端末から個人ボックス記憶手段内に個人ボックスを作成するステップと、個人端末から各個人ボックス内に個人データを入力するステップと、該複数の個人データを該個人データに関係付けられる分類ボックス内へ転送するステップと、医療機関端末から所定の分類ボックス内の個人データを検索するステップとを備えたことを特徴とする。
【００２０】
本発明の患者医療機関相互選択方法は、前記患者医療機関相互選択方法において、前記医療機関端末から前記所定の分類ボックス内の個人データにコメントデータを付加するステップを備えることを特徴とする。
【００２１】
本発明の患者医療機関相互選択方法は、前記患者医療機関相互選択方法において、前記コメントデータを付加した個人データを前記各個人ボックス内へ返却するステップを備えることを特徴とする。
【００２２】
本発明の患者医療機関相互選択方法は、前記患者医療機関相互選択方法において、前記各個人ボックス内のコメントデータを付加した個人データを前記各個人端末から検索するステップを備えることを特徴とする。
【００２３】
本発明の患者医療機関相互選択方法は、前記患者医療機関相互選択方法において、前記コメントデータが医療機関名を含み、前記個人端末から医療機関を選択するステップと、該個人端末と該選択した医療機関の医療機関端末とが通信可能となるステップとを備えることを特徴とする。
【００２４】
本発明の患者医療機関相互選択用プログラムは、通信ネットワーク上で患者と医療機関とのコミュニケーションを行うためにコンピューターを、複数の個人ボックスを保有する個人ボックス記憶手段、該個人ボックス記憶手段内に個人ボックスを作成する個人ボックス作成手段、該個人ボックス内に個人データを入力する個人データ入力手段、複数の分類ボックスを保有する分類ボックス記憶手段、該複数の個人データを該個人データに関係付けられる分類ボックス内へ転送する個人データ転送手段、該分類ボックス記憶手段内の所定の分類ボックス内の個人データを検索する個人データ検索手段、前記所定の分類ボックス内の個人データにコメントデータを付加するデータ付加手段、前記コメントデータを付加した個人データを前記各個人ボックス内へ移動させる個人データ返却手段、前記各個人ボックス内のコメントデータを付加した個人データを前記各個人端末から検索するコメント検索手段として機能させることを特徴とする。
【００２５】
【発明の実施の形態】
次に、本発明に係る患者医療機関相互選択システム及び患者医療機関相互選択方法の実施の形態について、図面に基づいて詳しく説明する。
【００２６】
患者医療機関相互選択１０は、図１に示すように、個人端末１２とサーバー１４と医療機関端末１６とがインターネット１８によって通信可能に接続されている。個人端末１２は、患者が使用するコンピューターである。サーバー１４は、コミュニケーションを行う者が使用するコンピューターである。医療機関端末１６は、病院又は診療所等の医療機関が使用するコンピューターである。
【００２７】
個人端末１２は、個人ボックス作成手段、個人データ入力手段、コメント検索手段、及び医療機関選択手段として機能する。サーバー１４は、個人ボックス記憶手段、分類ボックス記憶手段、個人データ転送手段、個人データ返却手段として機能する。医療機関端末１６は、個人データ検索手段、及びデータ付加手段として機能する。
【００２８】
以下に、各個人がこの患者医療機関相互選択システムを使用する方法について説明する。
【００２９】
最初に、患者２０が各個人端末１２からサーバー１４にアクセスし、サーバー１４内に個人ボックス２２が作成される。個人ボックス２２は、図２に示すように、各患者２０毎に作成される。各個人ボックス２２は、他人が検索できないように、所定のパスワード、暗号又は鍵を作成して要求のあった個人端末１２に転送し、以後これを使用してのみ、この個人ボックスを読み書きできることとする。鍵とは、他人が認識できないようにデータを暗号化するプログラムである。
【００３０】
次に、患者２０は、自己の個人ボックス２２内に個人データ２４を入力する。この入力は、サーバー１４からの質問に対する回答を入力することにより、会話形式で行われる。個人データ２４は、例えば、個人コードナンバー２６、個人身体データ２８、症状データ３０、希望診察日時データ３２、希望地域データ３４及び備考データ３６から構成される。個人コードナンバー２６は、個人特定データであり、氏名の代替データである。個人身体データ２８は、性別、年齢、体重、身長等のデータである。症状データ３０は、痛み、吐き気、だるさ、患部、尿又は便の状態等のデータである。希望診察日時データ３２は、受診したい日時のデータである。希望地域データ３４は、受診したい地域のデータである。備考データ３６は、過去の病歴等のその他のデータである。複数の個人ボックス２２は、サーバー１４内の個人ボックス記憶手段４２が保有する。なお、患者２０は、個人データ２４を入力した時に、予約金を電子マネー方式で支払う。電子マネー以外の手段としては、個人データが作られた後、実際の入金を確認して個人データを分類ボックスに送る手段が考えられる。
【００３１】
仲介者又はサーバー１４は、複数の個人ボックス２２内の個人データ２４を検索し、個人身体データ２８及び症状データ３０に基づいて該当する科分類ボックス３８を選択する。さらに、希望地域データ３４に基づいて該当する地域分類ボックス４６を選択する。サーバー１４の設定によって、その個人データ２４が、選択した科分類ボックス３８の中の選択した地域分類ボックス４６へ、自動的に転送される。例えば、個人身体データ２８の年齢が「３０歳」であり、症状データ３０に、「鼻水、咽喉、熱、咳等」のデータがある場合、患者２０は大人であり、風邪の症状であると判断して、内科の科分類ボックス３８へ個人データ２４を転送する。複数の科分類ボックス３８は、サーバー１４内の分類ボックス記憶手段４４が保有する。
【００３２】
医療機関４０は、医療機関端末１６から、自己の医療業務に関連する科分類ボックス３８内の個人データを検索する。例えば、内科業務と小児科業務を行う医療機関４０は、内科ボックス及び小児科ボックスを検索する。医療機関４０から検索する科分類ボックス３８は、初期に会員として登録を行う時に、ＩＤやパスワード等、予め与えられたキーを使って読み書きする。また、医療機関分類ボックスは検索できるが、個人ボックスは参照できないようにサーバー１４を構築する。
【００３３】
次に、医療機関４０は、検索した個人データ２４に基づいて診察可能な患者２０を選択し、医療機関端末１６から、その患者２０についてのコメントデータを付加する。例えば、診察が受け入れ可能なことのコメントデータとして、「あなたの病は結核の可能性があります。○○県○○市の内科医院です。私の病院の診察の受付けは毎週月曜日から土曜日の９時から１２時です。診察は、毎週月曜日から土曜日の９時から１２時及び１７時から１９時です。祭日も同様の診察時間です。電話番号は１２３−３２１−０９８７、メールアドレスはｋ９ｋ９ｋ９＠ｍｉｆｙ．ｃｏｍです。」がコメントデータである。コメントデータは、複数の医療機関４０から集まるものと考える。
【００３４】
コメントデータの付加された個人データ２４は、各患者２０の個人ボックス２２へ転送されて返却される。返却は、コメントが個人データ２４に付加されることにより自動的に行われる。
【００３５】
次に、患者２０は、コメントデータが付加されて個人ボックス２２へ返却された個人データ２４を検索し、コメントデータに基づいて医療機関４０を選択する。患者２０は、選択した医療機関４０へ受診の意志を伝える。この時、患者と医療機関との１対１のセキュリティーの高い通信システムで確立されることが望ましい。ここでは、個人特定データが交信されることがある。手数料又は予約金は、この時点で徴収するのも良い。なお、患者２０が選択する医療機関４０が存在しない場合、予約金が電子マネー方式等で患者２０に返却される。
【００３６】
次に、患者２０は、選択した医療機関４０に実際に訪れ、受診する。診察料は、予め入金されている予約金から電子マネー方式で差し引かれる。一方、医療機関４０から仲介人へ電子マネー方式で手数料が支払われるものとする。
【００３７】
以上、本発明の一実施例について説明したが、本発明は他の態様でも実施し得る。
【００３８】
仲介業者の手間は増えるが、医療機関がネットワークに加盟していない場合、患者からの個人データを整理の上、夫々の医療機関に適した個人データを一括してＦＡＸし、医療機関より受診可能であることを受け取れば、それを個人ボックスに入れることも出来る。患者側は、個人ボックスを見ることによって、医療機関を選択することができる。
【００３９】
例えば、図５に示すように、個人ボックス２２内に個人データ２４を入力するのと同時に、所定の鍵によって、個人身体データ２８を暗号化して個人身体データ暗号文５０とし、症状データ３０を暗号化して症状データ暗号文５２とし、個人データ２４を個人データ暗号文５４に変換させても良い。この場合、個人データ暗号文５４を複合化する公開鍵は患者２０の個人端末１２及び仲介人のサーバー１４のみが保有する。暗号化する鍵と複合化する公開鍵は、同一であっても異なっても良い。但し、個人ボックス２２毎に公開鍵が異なることが望ましい。この場合、個人データ２４を個人データ暗号文５４に変換して個人ボックス２２内に保存するため、他人が検索することができない。このため、個人データ２４が悪用されず、プライバシーを保護できる。
【００４０】
更に他の態様は、サーバー１４が、個人データ２４が外部へダウンロードされるのを防止するプロテクトを備える態様である。この場合、個人データ２４はサーバー１４よりも外部に流出することは全くない。
【００４１】
更に他の態様は、選択した医療機関４０への通信をデジタル署名付きのデータによって行う態様である。この場合、医療機関４０は受信したデータが患者２０本人の出所によるか否かを確認でき、患者２０は受信したデータが選択した医療機関４０の出所によるか否かを確認できる。
【００４２】
更に他の態様は、患者２０が医療機関４０を選択し、選択した結果をサーバー１４へ送信することにより、患者２０の個人端末１２と選択された医療機関４０の医療機関端末１６との通信回線をサーバー１４が設定する態様である。この場合、患者２０と医療機関４０との直接の通信文が他人へ認識されないようにサーバー１４が管理できる。
【００４３】
更に他の態様は、仲介者自身が、「医療機関を利用する必要がない」、「医療機関よりもマッサージ機関、整体機関等の医療機関ではない機関を利用する方が良い」等のコメントデータを個人データに付加する態様である。この場合、仲介者に専門的知識が必要となる。
【００４４】
更に他の態様は、コメントが付加されて個人ボックスへ返却されない個人データが生じるのを防止するため、各個人データがコメントが付加されて個人ボックスへ返却されたか否かを、サーバーに表示又は個人端末から検索できる態様である。
【００４５】
更に他の態様は、個人端末に、インターネットにアクセス可能な携帯電話又は携帯ＰＣ（パーソナルコンピューター）を含める態様である。
【００４６】
以上、本発明は特定の実施例について説明されたが、本発明はこれらに限定されるものではない。本発明はその趣旨を逸脱しない範囲で当業者の知識に基づき種々なる改良，修正，変形を加えた態様で実施できるものである。同一の作用又は効果が生じる範囲内で、いずれかの発明特定事項を他の技術に置換した形態で実施できるものである。一体に構成されている発明特定事項を複数の部材から構成した形態でも、複数の部材から構成されている発明特定事項を一体に構成した形態でも実施できるものである。
【００４７】
【発明の効果】
本発明の患者医療機関相互選択システム及び患者医療機関相互選択方法は、患者が個人データを入力する個人ボックスを備えるため、患者が容易かつ迅速に症状等を入力できる。このため、患者による受信依頼要求の手間を極力すくなくできるとともに、受信依頼要求を集中させることにより受信依頼要求の整理を容易に行うことができる。また、医療機関が個人データを検索する分類ボックスを備えるため、医療機関が容易かつ迅速に患者の情報を検索できる。このため、受信依頼に対する医療機関によるによる対応の手間を極力すくなくできる。また、患者が個人データを入力する個人ボックスと医療機関が個人データを検索する分類ボックスとを別個に備えるため、分類ボックスのみを検索でき、個人ボックス内の個人データが悪用されることがない。また、個人ボックス又は分類ボックスの中の必要な一方のみにプロテクトを施すこともできる。また、検索する個人データは分類毎に分類ボックス内に記憶されているため、医療機関による個人データの検索が容易である。また、受信前に予め患者と医療機関とのコミュニケーションを図ることができる。このため、患者は安心して受信でき、医療機関は各患者に対応した準備を予め行える。医療においては、経験が重要なこともある。このため、本発明によれば、多くの医療機関で診断のつかなかった患者と、その疾患に対して経験のある医師とを仲介することが可能である。
【００４８】
特に、データ付加手段を備えたこの患者医療機関相互選択システムは、患者の個人データに対するコメントを分類ボックス内で付加できる。このため、コメントを付加するために個人データが分類ボックスの外へ流出することがない。
【００４９】
特に、個人データ返却手段を備えたこの患者医療機関相互選択システムは、コメントデータを付加した個人データを分類ボックスから個人ボックスへ返却することができる。このため、個人ボックスへ返却した個人データを分類ボックスから削除した場合には、患者のみが個人ボックスの個人データを検索でき、他人が検索可能な分類ボックスから個人データを検索できなくなる。
【００５０】
特に、コメント検索手段を備えたこの患者医療機関相互選択システムは、個人データに付加された複数の医療機関による複数のコメントデータに基づいて患者が最適の医療機関を選択できる。また、複数の医療機関からコメントデータを付加できるため、患者は極力多くの医療機関から最適の医療機関を選択できる。また、患者は、コメントの内容による心証から、最も信頼できる医療機関を選択できる。
【００５１】
特に、医療選択手段と通信設定手段とを備えたこの患者医療機関相互選択システムは、患者が選択した医療機関と患者が、診察前に十分なコミュニケーションを図ることができる。
【００５２】
特に、複数の分類ボックスが科分類ボックスであるこの患者医療機関相互選択システムは、内科又は外科等の科毎に個人データを区分できる。このため、医療機関が検索する分類ボックスを選択しやすい。
【００５３】
特に、個人特定データが個人コードナンバーであるこの患者医療機関相互選択システムは、個人データが、医療機関仲介を希望した時に渡される単純なデータであり、個人データに氏名を含めないため、個人のプライバシーを保護することができる。
【００５４】
特に、個人ボックス記憶手段及び分類ボックス記憶手段を一のサーバーが備えるこの患者医療機関相互選択システムは、個人ボックス及び分類ボックスを一のサーバーに集中させ、個人データ及びコメントデータを一のサーバーに集中させている。このため、個人データ及びコメントデータの管理及び整理が容易であり、個人データ及びコメントデータの外部への流出防止対策を容易に行える。また、個人データ及びコメントデータを一のサーバー内で送受信するため、個人データ及びコメントデータが送受信中に外部へ流出したり改ざんされることがない。
【００５５】
特に、個人データ検索手段及びデータ付加手段を医療機関端末が備えるこの患者医療機関相互選択システムは、医療機関の関係者が医療機関に滞在しながら診察時間の空いた時に効率的にコメントを付加することができる。このため、医療機関の関係者が自己の医療機関の事情をリアルタイムに把握しながら診察可能時間等をコメントデータとして付加することができる。また、この段階で、医療機関にとって得意な疾患及び患者を選択することができる。
【００５６】
個人ボックス作成手段、個人データ入力手段及びコメント検索手段を個人端末が備えるこの患者医療機関相互選択システムは、個人データの入力及びコメントの検索を患者からのみ行えるようにして、個人情報の流出を防止し、改ざんされるのを防止できる。
【図面の簡単な説明】
【図１】図１は、本発明の患者医療機関相互選択システムの一態様を示す。
【図２】図２は、図１の患者医療機関相互選択システムのアクセス経路を示す。
【図３】図３は、図１の患者医療機関相互選択システムにおいて使用する個人データを示すデータ構造である。
【図４】図４は、図１の患者医療機関相互選択システムにおいて使用する内科ボックスを示すデータ構造である。
【図５】図５は、図１の患者医療機関相互選択システムにおいて使用する個人データの他の形態を示すデータ構造である。
【符号の説明】
１０：患者医療機関相互選択システム
１２：個人端末
１４：サーバー
１６：医療機関端末
１８：インターネット
２０：患者
２２：個人ボックス
２４：個人データ
２６：個人コードナンバー
２８：個人身体データ
３０：症状データ
３２：希望診察日時データ
３４：希望地域データ
３６：備考データ
３８：分類ボックス
４０：医療機関端末
４２：個人ボックス記憶手段
４４：分類ボックス記憶手段
４６：地域ボックス
【図１】
0003639976.tif 000002
【図２】
0003639976.tif 000003
【図３】
0003639976.tif 000004
【図４】
0003639976.tif 000005
【図５】
0003639976.tif 000006